(57)【特許請求の範囲】
【請求項１】
火災を検出して火災検出信号を出力する火災判定部と、
前記火災検出信号が得られた際に他の住宅用火災警報器に対し火災移報信号を送信すると共に、他の住宅用火災警報器からの火災移報信号を受信する移報部と、
前記火災検出信号又は火災移報信号が得られた際に、所定の出力時間の音声警報を繰り返し出力する音声警報出力部と、
を備えた住宅用火災警報器に於いて、
前記火災検出信号が得られている間、所定周期で前記移報部に火災移報信号を繰り返し送信させる移報制御部と、
前記音声警報を出力するための基準時刻を、前記所定周期の火災移報信号を送信又は受信した時刻毎に設定して他の住宅用火災警報器の基準時刻と同期させる基準時刻設定部と、
前記火災検出信号が得られた際と火災移報信号が得られた際とで、前記基準時刻からそれぞれ異なる所定の遅延時間後に前記音声警報出力部に前記音声警報を出力させる音声警報制御部と、
を備え、
前記移報制御部は、前記所定周期を、前記火災検出信号による音声警報の出力時間と前記火災移報信号による音声警報の出力時間とを加えた時間よりも長く設定し、
前記音声警報制御部は、前記所定の遅延時間を、前記火災検出信号による音声警報の出力と前記火災移報信号による音声警報の出力とが重ならないように設定する
ことを特徴とする住宅用火災警報器。
【請求項２】
請求項１記載の住宅用火災警報器に於いて、前記音声警報制御部は、前記火災検出信号が得られた際に遅延時間零で前記音声警報出力部に前記音声警報を出力させ、前記火災移報信号が得られた際に前記火災検出信号による音声警報の出力時間より長い所定の遅延時間後に前記音声警報出力部に前記音声警報を出力させることを特徴とする住宅用火災警報器。
【請求項３】
請求項１記載の住宅用火災警報器に於いて、前記音声警報制御部は、他の住宅用火災警報器からの火災移報信号の受信による音声警報出力中に前記火災検出信号が得られた場合、遅延時間零で前記音声警報出力部に前記音声警報を出力させると共に、前記移報部に前記火災移報信号の送信を禁止させることを特徴とする住宅用火災警報器。
【請求項４】
請求項１記載の住宅用火災警報器に於いて、前記音声警報制御部は、前記火災検出信号が得られた場合と前記火災移報信号が得られた場合とで、前記音声警報出力部に異なる内容の音声警報を出力させることを特徴とする住宅用火災警報器。
【請求項５】
請求項１記載の住宅用火災警報器に於いて、前記移報部は、他の住宅用火災警報器と無線回線又は有線回線で接続したことを特徴とする住宅用火災警報器。
【発明の詳細な説明】
【技術分野】
【０００１】
本発明は、火災を検出した際に、警報として音声警報を出力する住宅用火災警報器に関し、特に、他の住宅用火災警報器から火災移報信号を受信した際にも音声警報を出力する住宅用火災警報器に関する。
【背景技術】
【０００２】
従来、住宅用火災警報器は、室温が異常に高温になったとき、または室内の煙濃度が所定値を超えたときなどに火災が発生したと判断する火災判定部を備え、火災発生時に表示灯を点滅させると共に、音声メッセージで火災が発生したことを周囲に通知する音声警報機能を備えている。
【０００３】
また住宅内の複数の部屋に住宅用火災警報器を設置した場合には、他の火災警報器で火災を検出して警報した際に送信される火災移報信号を受信した際にも音声メッセージで別の部屋で火災が発生したことを知らせるようにしている。
【特許文献１】特開２００４−３６２５３７号公報
【発明の開示】
【発明が解決しようとする課題】
【０００４】
しかしながら、火災検出時及び火災移報信号の受信時に音声メッセージで警報するようにした従来の住宅用火災警報器にあっては、ある部屋に設置した住宅用火災警報器で火災を検出して音声警報を出力すると同時に、別の部屋に設置した住宅用火災警報器に移報信号を送って音声警報を出力させた場合、複数の音声警報が聞こえる場所では、火災検出による音声警報と火災移報信号受信による異なる内容の音声警報が混ざりあって聞き取りにくいという問題がある。
【０００５】
本発明は、火災検出と移報受信により複数の住宅用火災警報器で異なる内容の音声警報が出力されても、その内容を明瞭に聞き取ることを可能とする住宅用火災警報器を提供することを目的とする。
【課題を解決するための手段】
【０００６】
この目的を達成するため本発明は次のように構成する。まず本発明は、火災を検出して火災検出信号を出力する火災判定部と、火災検出信号が得られた際に他の住宅用火災警報器に対し火災移報信号を送信すると共に、他の住宅用火災警報器からの火災移報信号を受信する移報部と、火災検出信号又は火災移報信号が得られた際に、所定の出力時間の音声警報を繰り返し出力する音声警報出力部とを備えた住宅用火災警報器に於いて、火災検出信号が得られている間、所定周期で移報部に火災移報信号を繰り返し送信させる移報制御部と、音声警報を出力するための基準時刻を、所定周期の火災移報信号を送信又は受信した時刻毎に設定して他の住宅用火災警報器の基準時刻と同期させる基準時刻設定部と、火災検出信号が得られた際と火災移報信号が得られた際とで、基準時刻からのそれぞれ異なる所定の遅延時間後に音声警報出力部に音声警報を出力させる音声警報制御部とを備え、移報制御部は、所定周期を、火災検出信号による音声警報の出力時間と火災移報信号による音声警報の出力時間とを加えた時間よりも長く設定し、音声警報制御部は、所定の遅延時間を、火災検出信号による音声警報の出力と火災移報信号による音声警報の出力とが重ならないように設定する。
【０００７】
ここで音声警報制御部は、火災検出信号が得られた際に遅延時間零で音声警報出力部に音声警報を出力させ、火災移報信号が得られた際に火災検出信号による音声警報の出力時間より長い所定の遅延時間後に音声警報出力部に音声警報を出力させる。
【０００８】
また音声警報制御部は、他の住宅用火災警報器からの火災移報信号の受信による音声警報出力中に火災検出信号が得られた場合、遅延時間零で音声警報出力部に音声警報を出力させると共に、移報部に火災移報信号の送信を禁止させる。
【０００９】
更に音声警報制御部は、火災検出信号が得られた場合と火災移報信号が得られた場合とで、音声警報出力部に異なる内容の音声警報を出力させる。
【００１０】
また移報部は、他の住宅用火災警報器と無線回線又は有線回線で接続する。
【発明の効果】
【００１１】
本発明によれば、住宅の部屋ごとに複数の住宅用火災警報器を設置した場合、火災を検出した住宅用火災警報器から他の住宅用火災警報器に所定周期で移報信号を周期的に送信して警報タイミングを決める基準時刻を火災検出側に同期させ、同期がとられた基準時刻に対し火災検出した住宅用火災警報器は例えば遅延時間零で音声警報を出力し、移報信号を受信した住宅用火災警報器は所定の遅延時間毎に異なる内容の音声警報を出力することで、火災検出を示す音声警報と火災移報信号受信を示す音声警報が重ならないようにタイミングをずらして音声警報することができ、異なる内容の音声警報が混ざらず、それぞれ明瞭に聞き取ることができる。
【発明を実施するための最良の形態】
【００１２】
図１は、本発明による住宅用火災警報器の実施形態の外観を示した説明図であり、図１（Ａ）は設置された状態を示す正面図で、図１（Ｂ）はその斜視図である。
【００１３】
住宅用火災警報器１０は、本体１２とカバー１４で構成され、本体１２の上部に位置する取付部１６で住宅内の任意の部屋の壁面に取り付けられる。カバー１４は中央部が皿状に突出しており、その周囲に煙流入口１８を開口している。
【００１４】
煙流入口１８を備えたカバー１４の内部には、火災検出部として煙チャンバーが組み込まれており、煙流入口１８を通して火災による煙をチャンバー内に流入し、発光素子と受光素子を備えた散乱光式の煙検出部により火災による煙を検出している。
【００１５】
カバー１４の左下側には音響孔２０が設けられ、音響孔２０に対応した内部には音声警報出力用のスピーカが収納されている。カバー１４の右下側には表示灯２２が設けられ、音響孔２０と表示灯２２の間にはＵ字型の切り抜きにより片持ち支持された警報停止ボタン２４が形成され、警報停止ボタン２４の内部には警報停止に使用する警報停止スイッチが組み込まれている。
【００１６】
図２は、本発明による住宅用火災警報器を用いた住宅用火災警報システムの実施形態を示す説明図である。図２において、本発明の住宅用火災警報器１０−１、１０−２、１０−３、１０−４が住宅５２内の居間５４、台所５６、子供部屋５８、寝室６０にそれぞれ設置されている。
【００１７】
住宅用火災警報器１０−１〜１０−４は個々に火災を検出し音声警報を出力するが、音声警報の出力タイミングを決めるための基準時刻が設定されており、自身で火災を検知した場合は音声警報をその基準時刻毎に出力し、火災を検出した他の住宅用火災警報器から火災移報信号を受信した場合は火災移報信号受信を示す音声警報を基準時刻から所定の遅延時間毎に出力する。
【００１８】
住宅用火災警報器１０−１〜１０−４の基準時刻の同期は、最初に火災を検出した住宅用火災警報器、例えば１０−１が火災検出信号を得た時刻に自己の基準時刻を設定すると共に火災移報信号を送信し、住宅用火災警報器１０−２、１０−３、１０−４が、受信した火災移報信号に自己の基準時刻を同期させることで行われる。
【００１９】
図３は、本発明による住宅用火災警報器の実施形態の回路構成を示したブロック図である。図３において、本発明の住宅用火災警報器１０は、電池２６、ノイズ吸収部２８、制御部３０、火災検出部４０、移報部４２、音声警報出力部４４、表示灯部４６、警報停止スイッチ４８及び電圧低下検出部５０で構成される。
【００２０】
電池２６は住宅用火災警報器１０の電源を供給し、ノイズ吸収部２８は電池２６から供給される回路電圧の安定化を図る。
【００２１】
制御部３０は火災判定部３２、基準時刻設定部３４、移報制御部３６及び音声警報制御部３８を備え、プログラムの実行により所定のタイミング、例えば１０秒周期で火災検出部４０をサンプリングし火災判定部３２による火災判定を行う。
【００２２】
更に制御部３０は、表示灯部４６の点灯制御、警報停止スイッチ４８による警報停止、電圧低下検出部５０による電源電圧の監視などを行う。
【００２３】
火災検出部４０による火災の検出は煙検出でも熱検出でも構わないが、図１の実施形態に示すように煙検出で行う場合、火災検出部４０は発光素子と受光素子を有し、制御部３０からのパルス信号により発光素子、例えば赤外線発光ダイオードに電流を流して発光させ、赤外線発光ダイオードの駆動で照射された光が煙により反射した散乱光を受光素子、例えばフォトダイオードに入射して光電流に変換し、更に電圧信号に変換して火災判定部３２に出力する。
【００２４】
火災判定部３２は、周期的に火災検出部４０の受光素子からの信号レベルを取得して火災を判定し火災検出信号を出力するが、誤報を防止するために２回連続して火災を判定した場合に警報を出力し、その後２回連続して火災を判定しなければ警報を停止する。
【００２５】
基準時刻設定部３４は、火災判定部３２から火災検出信号が得られると、音声警報の出力タイミングを決めるための基準時刻を設定する。
【００２６】
移報制御部３６は、火災検出信号が得られている間、基準時刻を起点に所定周期、例えば４０秒毎に移報部４２に火災移報信号を送信させる。
【００２７】
音声警報制御部３８は、火災判定部３２から火災検出信号が得られている間、基準時刻毎に音声警報出力部４４に音声警報を出力させる。
【００２８】
音声警報出力部４４は、増幅部とスピーカを有し、音声警報制御部３８から音声データの出力を受けると、増幅部で増幅した音声メッセージをスピーカから音声出力する。
【００２９】
表示灯部４６は、火災判定部３２が火災を判定した際の出力を受けて、図１に示す表示灯２２としてのＬＥＤを発光駆動する。
【００３０】
警報停止スイッチ４８は、図１に示す警報停止ボタン２４の押圧により作動し、警報停止スイッチ４８が作動すると制御部３０は所定時間、例えば６分間に渡り音声警報出力部４２による音声警報を停止する。
【００３１】
電圧低下検出部５０は電源電圧を監視し、検出した電圧が所定の電圧以下に低下すると、制御部３０は表示灯２２のＬＥＤを点滅させる。また音声警報出力部４４のスピーカから所定の周期、例えば４０秒周期で警告音を鳴動させ、あるいは音声警告として障害発生メッセージを出力する。
【００３２】
なお、電圧低下検出部５０が電圧低下を検出した場合等の障害が発生し、音声警告として障害発生メッセージを音声警報出力部４４から出力している最中であっても、火災判定部３２が火災検出信号を出力した際には、音声警告の障害発生メッセージを直ちに停止し音声警報に切替える。
【００３３】
図４は、図２に示す住宅用火災警報システムの音声警報出力の例を示すタイムチャートで、住宅用火災警報器１０−１で火災を検出し、他の住宅用火災警報器１０−２〜１０−４に移報した場合である。図４において、住宅用火災警報器１０−１〜１０−４の火災検出、警報出力、移報送信及び移報送信（基準時刻）を横方向を時間軸として表示している。
【００３４】
住宅用火災警報器１０−１〜１０−４の基準時刻の同期は、最初に火災を検出した住宅用火災警報器１０−１が火災検出信号を得た時刻ｔ１及びその後の周期Ｔ０を経過した時刻ｔ３、ｔ５、ｔ７、ｔ９、・・、ｔｎで基準時刻を設定する毎に火災移報信号を他の住宅用火災警報器１０−２〜１０−４に送信し、住宅用火災警報器１０−２〜１０−４が、住宅用火災警報器１０−１から受信した火災移報信号に自己の基準時刻を同期させることで行われる。
【００３５】
図４において、いま住宅用火災警報器１０−１が時刻ｔ１で火災を検出したとすると、基準時刻設定部３４は基準時刻に設定すると共に、音声警報制御部３８は予め設定されている火災検出による音声警報のタイミングを決める遅延時間ΔＴ１＝０で、即ち火災検出に同期して火災検出を示す音声警報を音声警報出力部４４に出力させ、同時に移報制御部３６は移報部４２に火災移報信号を送信させる。ここで本実施形態における基準時刻設定部３４による基準時刻の設定は、例えばタイマをリセットしてスタートさせる処理である。
【００３６】
住宅用火災警報器１０−２〜１０−４は時刻ｔ１で火災移報信号を受信すると、基準時刻設定部３４で基準時刻を設定し、音声警報制御部３８が基準時刻の設定でスタートしたタイマの経過時間が、火災移報受信による音声警報のタイミングを決める所定の遅延時間ΔＴ２に達したことを判別し、時刻ｔ２で火災移報信号の受信を示す音声警報を音声警報出力部４４に出力させる。
【００３７】
図５は、本実施形態で使用する警報種別テーブル６２を示す。の警報種別テーブル６２は予め音声警報制御部３８に記憶されており、警報種別として火災判定部３２から火災検出信号を得た場合と、移報部４２が火災移報信号を受信した場合のそれぞれに、音声警報内容と遅延時間が設定されている。
【００３８】
即ち、警報種別テーブル６２には、警報種別が「火災検出」の場合、すなわち住宅用火災警報器が設置された部屋や場所で火災を検出した場合は「ウ〜ウ〜、火事です、火事です」という音声警報を基準時刻から遅延時間０秒で出力する。また、警報種別が「移報受信」の場合、すなわち他の部屋や場所に設置した住宅用火災警報器が火災を検出した場合は「ウ〜ウ〜、別の場所で火事です」という音声警報を基準時刻から遅延時間ΔＴ２＝２０秒で出力することが設定されている。
【００３９】
この警報種別テーブル６２を用いた場合の本実施形態の音声警報出力を図４について具体的に説明すると次のようになる。
【００４０】
住宅用火災警報器１０−１は火災検出時刻ｔ１を基準時刻とし遅延時間ΔＴ１＝０秒で、すなわち火災検出信号を得た時刻に「ウ〜ウ〜、火事です、火事です」という音声警報を周期Ｔ０で出力し同時に火災移報信号を送信する。
【００４１】
この住宅用火災警報器１０−１による火災検出を示す音声警報と火災移報信号の送信は、火災検出信号が得られている限り、周期Ｔ０＝４０秒毎の時刻ｔ３，ｔ５，ｔ７，ｔ９・・・で繰り返される。
【００４２】
住宅用火災警報器１０−２〜１０−４は移報火災信号を受信した時刻ｔ１を基準時刻とし遅延時間ΔＴ２＝２０秒経過後の時刻ｔ２に「ウ〜ウ〜、別の場所で火事です」と出力し、時刻ｔ１から周期Ｔ０ずつ経過して再び火災移報信号を受信した時刻ｔ３、ｔ５、ｔ７を基準時刻に再設定し、遅延時間ΔＴ２＝２０秒経過後の時刻ｔ４、ｔ６、ｔ８に「ウ〜ウ〜、別の場所で火事です」と出力する。
【００４３】
ここで、遅延時間ΔＴ２は「火災検出」の音声警報の出力時間Ｍ１より長く、周期Ｔ０は遅延時間ΔＴ２に「移報受信」の音声警報の出力時間Ｍ２を加えた時間より長く設定されているため、住宅用火災警報器１０−１からの音声警報「ウ〜ウ〜、火事です、火事です」と、住宅用火災警報器１０−２〜１０−４からの音声警報「ウ〜ウ〜、別の場所で火事です」の出力は重ならず、また、住宅用火災警報器１０−２〜１０−４からは音声警報が同期して出力されるので、それぞれの音声警報が混ざらず、明瞭に聞き取ることができる。
【００４４】
図６は、図２に示す住宅用火災警報システムの音声警報出力の他の例を示すタイムチャートで、住宅用火災警報器１０−１で最初に火災を検出し、その後、住宅用火災警報器１０−４で火災を検出した場合である。
【００４５】
住宅用火災警報器１０−１は火災検出時ｔ１を基準時刻とし、図５に示す警報種別テーブル６２に従い遅延時間ΔＴ１＝０秒で、すなわち火災検出信号を得た時刻に「ウ〜ウ〜、火事です、火事です」という音声警報を周期Ｔ０で出力し同時に火災移報信号を送信する。
【００４６】
住宅用火災警報器１０−２、１０−３は移報火災信号を受信した時刻ｔ１を基準時刻とし遅延時間ΔＴ２＝２０秒経過後の時刻ｔ２に「ウ〜ウ〜、別の場所で火事です」と出力し、時刻ｔ１から周期Ｔ０ずつ経過して再び火災移報信号を受信した時刻ｔ３、ｔ６、ｔ９を基準時刻に再設定し、遅延時間ΔＴ２＝２０秒経過後の時刻ｔ５、ｔ８、ｔ１１に「ウ〜ウ〜、別の場所で火事です」と出力する。
【００４７】
ここで住宅用火災警報器１０−４においては、時刻ｔ２に住宅用火災警報器１０−２、１０−３と同様に音声警報を出力するが、時刻ｔ４で火災を検出しているため、この後の処理が住宅用火災警報器１０−２、１０−３と異なる。
【００４８】
一方、住宅用火災警報器１０−４が最初に火災を検出したのであれば、火災を検出した時刻ｔ４を基準時間に設定すると共に音声警報の出力と火災移報信号の送信を行い、周期Ｔ０ずつ経過した時刻ｔ７及びｔ１０に再び音声警報の出力と火災移報信号の送信を行う。
【００４９】
しかし、時刻ｔ１で既に住宅用火災警報器１０−１が火災を検出しており、また住宅用火災警報器１０−２、１０−３は火災移報信号を受信しそれぞれのタイミングで火災移報受信を示す音声警報を出力しているため、時刻ｔ４、ｔ７、ｔ１０に火災検出を示す音声警報を出力すると異なる音声警報が混ざってしまい聞き取りづらくなる。
【００５０】
そこで、音声警報制御部３８は、既に他の住宅用火災警報器からの火災移報信号を受信している場合は、自らが火災を検出しても、基準時刻の再設定と火災移報信号の送信を禁止し、火災検出を示す音声警報のみを出力させる。
【００５１】
すなわち、図６に示す住宅用火災警報器１０−４は既に住宅用火災警報器１０−１から火災移報信号を受信しているため、火災を検出した時刻ｔ４での音声警報の出力と火災移報信号の送信は行わず、時刻ｔ５に火災移報受信を示す音声警報である「ウ〜ウ〜、別の場所で火事です」を出力した後、続く基準時刻ｔ６、ｔ９に火災検出を示す音声警報である「ウ〜ウ〜、火事です、火事です」を出力する。
【００５２】
そのため時刻ｔ６以降は、住宅用火災警報器１０−１、１０−４からの音声警報「ウ〜ウ〜、火事です、火事です」は同期して出力され、遅延時間ΔＴ２経過後に住宅用火災警報器１０−２、１０−３からの音声警報「ウ〜ウ〜、別の場所で火事です」も同期して出力されることで、それぞれの音声メッセージが混ざらず、明瞭に聞き取ることができる。
【００５３】
図７は、図３に示す実施形態の音声警報出力の処理手順を示すフローチャートである。
まず、住宅用火災警報器１０の電源が投入されると制御部３０において処理が開始され、
ステップＳ１で火災検出か否か判別する。火災検出を判別するとステップＳ２に進み、基準時刻の設定処理としてタイマＴをリセットスタートする。
【００５４】
続いてステップＳ３でタイマＴが火災検出の警報タイミングを設定する遅延時間ΔＴ１に達したか否か判別する。本実施形態ではΔＴ１＝０であることから、直ぐにステップＳ４に進み、火災検出を示す音声警報「ウ〜ウ〜、火事です、火事です」を出力させる。
【００５５】
続いてステップＳ５で他の住宅用火災警報器からの火災移報信号の受信中か否か判別し、受信中でなければステップＳ６で他の住宅用火災警報器に火災移報信号を送信する。他の住宅用火災警報器から火災移報信号を受信中であれば、ステップＳ６をスキップし、他の住宅用火災警報器に対する火災移報信号の送信を禁止する。
【００５６】
次にステップＳ７でタイマＴが周期Ｔ０に達したか否か判別し、達していなければステップＳ８で警報停止スイッチ４８の操作により警報停止指示がされているか否かを判別し、警報停止指示がなかった場合はステップＳ７、Ｓ８の処理を繰り返し、ステップＳ７で周期Ｔ０への到達を判別するとステップＳ１に戻る。
【００５７】
またステップＳ８で警報停止指示を判別するとステップＳ９で音響警報を停止してステップＳ１に戻る。
【００５８】
一方、ステップＳ１で火災検出を判別しなかった場合にはステップＳ１０に進み、他の住宅用火災警報器から火災移報信号を受信したか否か判別する。火災移報信号の受信を判別するとステップＳ１１に進み、火災移報信号の受信に基づく基準時刻の設定処理としてタイマＴをリセットスタートする。
【００５９】
次にステップＳ１２でタイマＴが火災移報受信の警報タイミングを設定する遅延時間ΔＴ２に達したか否か判別し、遅延時間ΔＴ２への到達を判別するとステップＳ１３に進み、火災移報受信を示す音声警報「ウ〜ウ〜、別の場所で火事です」を出力させる。
【００６０】
続いて次にステップＳ７でタイマＴが周期Ｔ０に達したか否か判別し、達していなければステップＳ８で警報停止スイッチ４８の操作により警報停止指示がされているか否かを判別し、警報停止指示がなかった場合はステップＳ７、Ｓ８の処理を繰り返し、ステップＳ７で周期Ｔ０への到達を判別するとステップＳ１に戻る。またステップＳ８で警報停止指示を判別するとステップＳ９で音響警報を停止してステップＳ１に戻る。
【００６１】
なお、上記の実施形態にあっては、火災検出時にリセットスタートしたタイマＴの遅延時間ΔＴ１＝０を判別して火災検出を示す音声警報を出力させているが、必要に応じて火災検出についても、移報受信の遅延時間ΔＴ２より短い任意の遅延時間を設定しても良い。また火災検出については、タイマと遅延時間の比較処理を行わず、火災検出に同期して音声警報を出力させても良い。
【００６２】
また、本発明は上記の実施形態に限定されず、その目的と利点を損なうことのない適宜の変形を含み、更に上記の実施形態に示した数値による限定は受けない。
【図面の簡単な説明】
【００６３】
【図１】本発明による住宅用火災警報器の実施形態の外観を示した説明図
【図２】本発明による住宅用火災警報器を用いた住宅用火災警報システムの実施形態を示す説明図
【図３】本発明による住宅用火災警報器の実施形態の回路構成を示したブロック図
【図４】図２に示す住宅用火災警報システムの音声警報出力の例を示すタイムチャート
【図５】図４に示す住宅用火災警報システムの警報種別を示すテーブル
【図６】図２に示す住宅用火災警報システムの音声警報出力の他の例を示すタイムチャート
【図７】図３に示す実施形態の音声警報出力の処理手順を示すフローチャート
【符号の説明】
【００６４】
１０、１０−１、１０−２、１０−３、１０−４：住宅用火災警報器
１２：本体
１４：カバー
１６：取付部
１８：煙流入口
２０：音響孔
２２：表示灯
２４：警報停止ボタン
２６：電池
２８：ノイズ吸収部
３０：制御部
３２：火災判定部
３４：基準時刻設定部
３６：移報制御部
３８：音声警報制御部
４０：火災検出部
４２：移報部
４４：音声警報出力部
４６：表示灯部
４８：警報停止スイッチ
５０：電圧低下検出部
５２：住宅
５４：居間
５６：台所
５８：子供部屋
６０：寝室
６２：警報種別テーブル
【図１】
0005122874.tif 000002
【図２】
0005122874.tif 000003
【図３】
0005122874.tif 000004
【図４】
0005122874.tif 000005
【図５】
0005122874.tif 000006
【図６】
0005122874.tif 000007
【図７】
0005122874.tif 000008